(57)【特許請求の範囲】
【請求項１】
ワイヤハーネスの組立作業台上に立設され、分岐部若しくはコーナー部に布線される電線を保持するための電線保持具であって、電線を収束して保持する保持ブロックと、該保持ブロックが取り付けられる台座部とからなり、
上記保持ブロックは、基部の両側から対向して垂設されると共に、上部自由端に内方へ対向して突設されたシャッター部が互いに当接する閉鎖位置から開放位置へ弾性的に変位可能な一対の挟持腕を備え、上記シャッター部の下方を収束領域とし、
一方、上記台座部は、上記保持ブロックの取付部と、組立作業台に立設される支軸とを備え、
上記台座部には、上記保持ブロックを取付部に取り付けた状態で、いずれか一方の挟持腕の開き軌道に干渉しない位置で、かつ、上記収束領域における挟持腕の垂設位置よりも内方に位置するようにしてガイド板を突設し、収束領域に収束されて挟持腕の開き方向に所定角度曲げられて布線される電線をガイド板で保持させる構成としている特徴とするワイヤハーネス用電線保持具。
【請求項２】
上記ガイド板を他方の挟持腕側にも上記台座部から突設している請求項１に記載のワイヤハーネス用電線保持具。
【発明の詳細な説明】
【０００１】
【発明の属する技術分野】
本発明は、ワイヤハーネス用電線保持具に関し、詳しくは、電線のあふれを防止すると共に、分岐部若しくはコーナー部で電線の張力にも対抗し得るようにするものである。
【０００２】
【従来の技術】
一般に自動車用ワイヤハーネスは、図６に示すように、組立作業台１上に立設された電線保持具２に沿って、電線Ｗを所定経路に布線することで組み立てられる。上記電線保持具２として一般に使用されるものは、Ｕ字状の電線受け部２ａと支軸２ｂから構成されている。ところが、布線作業中に一旦保持された電線Ｗａが浮き上がって、電線保持具２からあふれ出してしまう場合がある。この場合、布線作業中にあふれ出した電線Ｗを再び電線保持具２に掛け直さなければならず、作業能率の低下をきたすこととなっていた。
【０００３】
そこで、電線Ｗのあふれ防止機能を有するものとして、特開平１０−４０７５２号公報に記載のものが知られている。このあふれ防止用電線保持具３は、図７に示すように、基部３ａの両端に逆Ｌ字状の一対の挟持腕３ｂ、３ｃを開閉可能に立設し、バネ３ｄの作用で挟持腕３ｂ、３ｃを互いに閉鎖方向に付勢している。そして、挟持腕３ｂ、３ｃの合わせ部である電線挿入口３ｅから電線Ｗを挿入することで収束領域３ｆに順次収束させ、挟持腕３ｂ、３ｃが閉鎖位置に復帰することで、収束された電線Ｗのあふれ出しを防止するようにしている。
【０００４】
【発明が解決しようとする課題】
しかしながら、上記のようなあふれ防止用電線保持具３を布線経路の分岐部もしくはコーナー部に使用すると、電線Ｗは、あふれ防止用電線保持具３を基点として水平方向に曲げられて布線されるため、曲げ方向の突っ張り力が作用することとなる。このため、開閉可能な挟持腕３ｂ、３ｃは電線Ｗに引っ張られて開いてしまい、電線Ｗの屈曲基点がずれてワイヤハーネスＷ／Ｈの寸法精度の低下をきたし、更には、あふれ防止の機能が発揮できず、収束された電線Ｗがあふれ出してしまうという問題があった。
【０００５】
この問題に対し、上記公報には、図８に示すように、基部４ａに対し、一方の挟持腕４ｂを固定すると共に、他方の挟持腕４ｃのみを開閉可能としたあふれ防止用電線保持具４が記載されている。該あふれ防止用電線保持具４を分岐部もしくはコーナー部に使用して、固定側の挟持腕４ｂを電線Ｗの曲げ布線方向に対応させれば、電線Ｗの引っ張り力を固定側の挟持腕４ｂが受けることで、挟持腕４ｂの開きを防止することができる。しかしながら、両方の挟持腕が開くものに比較すると、複数の電線Ｗをまとめて電線挿入口４ｅから挿入する場合、挟持腕４ｃの開き追従性が低下する問題があった。さらに、前者の電線保持具３は直線部分専用、後者の電線保持具４は分岐部もしくはコーナー部専用として別個の電線挟持腕３ｂ、３ｃ、４ｂ、４ｃを準備しなければならず、保持具の種類増加およびコストアップを余儀なくされていた。
【０００６】
本発明は上記した問題に鑑みてなされたもので、あふれ防止用の機能を維持しつつ、分岐部若しくはコーナー部で曲げ布線された電線の張力にも対抗し得るようにすることを課題としている。
【０００７】
【課題を解決するための手段】
上記課題を解決するため、本発明は、請求項１で、ワイヤハーネスの組立作業台上に立設され、分岐部若しくはコーナー部に布線される電線を保持するための電線保持具であって、電線を収束して保持する保持ブロックと、該保持ブロックが取り付けられる台座部とからなり、
上記保持ブロックは、基部の両側から対向して垂設されると共に、上部自由端に内方へ対向して突設されたシャッター部が互いに当接する閉鎖位置から開放位置へ弾性的に変位可能な一対の挟持腕を備え、上記シャッター部の下方を収束領域とし、
一方、上記台座部は、上記保持ブロックの取付部と、組立作業台に立設される支軸とを備え、
上記台座部には、上記保持ブロックを取付部に取り付けた状態で、いずれか一方の挟持腕の開き軌道に干渉しない位置で、かつ、上記収束領域における挟持腕の垂設位置よりも内方に位置するようにしてガイド板を突設し、収束領域に収束されて挟持腕の開き方向に所定角度曲げられて布線される電線をガイド板で保持させる構成としていることを特徴とするワイヤハーネス用電線保持具を提供している。
【０００８】
具体的には、上記保持ブロックは、直線部に使用されるあふれ防止用電線保持具として使用されるものを利用している。上記構成によれば、台座部に突設されたガイド板により、分岐部もしくはコーナー部での使用において、保持された電線が挟持腕側に曲げられて張力が作用しても、その張力をガイド板によって受けることができるため、挟持腕が電線の張力によって開くのを防止できる。一方、電線挿入口から挟持腕の間の収束領域に電線を挿入するときは、上記ガイド板に影響されず、両方の挟持腕は自由に開くことができるため、円滑なる電線挿入操作を行うことができる。
【０００９】
上記ガイド板を他方の挟持腕側にも上記台座部から突設するようにしてもよい（請求項２）。このようにすれば、上記構成の電線保持具を分岐部に使用し、該分岐部で両方の挟持腕側に曲げられて分岐布線する場合であっても、電線の張力を両側のガイド板により受け止めることで挟持腕の開きを防止することができる。
【００１０】
【発明の実施の形態】
以下、本発明の実施形態を図面を参照して説明する。
図１乃至図４はワイヤハーネス用電線保持具の第１実施形態を示し、該電線保持具１０は電線Ｗを収束して保持する保持ブロック１１と、該保持ブロック１１が取り付けられる台座部１２とから構成している。保持ブロック１１としては、電線Ｗの保持用として汎用される市販のものを利用している。
【００１１】
図２に示すように、保持ブロック１１は、基部１１ａの両側から対向して垂設された合成樹脂製の一対の挟持腕１１ｂ、１１ｃを備え、該挟持腕１１ｂ、１１ｃは下部が固定されて上部自由端は閉鎖位置から開放位置へ弾性的に変位可能とされている。また、挟持腕１１ｂ、１１ｃの上端部には内方へ対向突設された一対のシャッター部１１ｄ、１１ｅが形成され、挟持腕１１ｂ、１１ｃの閉鎖位置においてシャッター部１１ｄ、１１ｅが互いに当接することで電線挿入口１１ｆを閉鎖状態としている。
【００１２】
上記シャッター部１１ｄ、１１ｅの下方と基部１１ａとの間には電線Ｗの収束領域１３が形成され、上記シャッター部１１ｄ、１１ｅの上下両面には電線の挿入時、取り出し時に挟持腕１１ｂ、１１ｃを開放位置へ開かせるＲ面の案内面１１ｇ、１１ｈが形成されている。また、シャッター部１１ｄ、１１ｅの直下位置において、両側の挟持腕１１ｂ、１１ｃの間にはゴムバンド１４が張設され、電線挿入口１１ｆから収束領域１３内に挿入される電線Ｗをゴムバンド１４で強制的に結束状に収束するようにしている。
【００１３】
上記台座部１２は、上記保持ブロック１１を受ける取付部１２ａと、組立作業台１に立設される支軸１２ｂとを備えている。取付部１２ａは、保持ブロック１１の基部１１ａを内嵌するＵ字状に形成され、基部１１ａの両側に突設した取付片１１ｊに対し、台座部１２の対応位置に形成された鍔部１２ｃを合致させ、ネジ１５にて保持ブロック１１を取付固定している。
【００１４】
上記保持ブロック１１を台座部１２に固定した状態で、通常のあふれ防止用電線保持具として使用可能であるが、第１実施形態においては、電線Ｗの布線時にコーナー部または分岐部で、一方向に電線Ｗを屈曲させる布線状態に対応してガイド板１６を備えている。即ち、いずれか一方の挟持腕１１ｂの開き軌道に干渉しない位置で、かつ、上記収束領域１３における挟持腕１１ｂの垂設位置よりも内方に位置するようにして、取付部１２ａの両側から挟持腕１１ｂを挟むようにして上記ガイド板１６を突設している。
【００１５】
次に、上記構成からなるワイヤハーネス用電線保持具の使用状態を説明すると、電線Ｗの布線経路におけるコーナー部または一方向に屈曲する分岐部に使用する場合は、以下のようになる。収束領域１３への電線Ｗの挿入時には、図３（Ａ）に示すように、電線Ｗの挿入押圧により、シャッター部１１ｄ、１１ｅの上側の案内面１１ｇに案内されてシャッター部１１ｄ、１１ｅが開き、電線挿入口１１ｆから順次挿入される。同時に、収束領域１３に挿入された電線Ｗは、図３（Ｂ）に示すように、ゴムバンド１４とシャッター部１１ｄ、１１ｅの下面との間で弾性的に収束され、収束状態では、シャッター部１１ｄ、１１ｅが弾性的に閉鎖状態となるため、電線Ｗのあふれが防止される。また、収束された電線Ｗは、所定の曲げ方向に布線されるため、一方の挟持腕１１ｂ側に張力が作用するが、収束領域１３内において、電線Ｗの張力はガイド板１６に保持されるため、図４に示すように、挟持腕１１ｂに直接作用せず、よって、収束状態での挟持腕１１ｂの開きを防止することができる。
【００１６】
図５（Ａ）（Ｂ）は第２実施形態の電線保持具２０を示し、該電線保持具２０は、挟持腕２１ｂ、２１ｃ側の双方向に張力が作用するような分岐部に対応可能としている。即ち、第２実施形態では、両方の挟持腕２１ｂ、２１ｃ側に対し、第１実施形態のガイド板１６と同様の機能を有するガイド板２６ａ、２６ｂを、台座部の２２の取付部２２ａから突設している。第２実施形態では、上記ガイド板２６ａ、２６ｂは、１枚のＵ字状の板部材から構成するようにし、保持ブロック２１は内部底面部でネジ２５により取付部２２ａに取り付けるようにしている。なお、その他の構成は、第１実施形態と同様のため説明を省略する。
【００１７】
第２実施形態の電線保持具２０によれば、図５（Ｂ）に示すように、分岐部を基点として電線Ｗが両方の挟持腕２１ｂ、２１ｃの方向に屈曲布線される場合、電線Ｗの張力を両方のガイド板２６ａ、２６ｂで受け止めて挟持腕２１ｂ、２１ｃの開きを防止できる。
【００１８】
なお、上記第１、第２の実施形態において、ガイド板１６、２６ａ、２６ｂは挟持腕１１ｂ、１１ｃ、２１ｂ、２１ｃの両側に挟持状に配置したものを示したが、電線Ｗの張力を受け止めることができれば、いずれか一方の側のみでもよい。
【００１９】
【発明の効果】
以上の説明より明きらかなように、本発明のワイヤハーネス用電線保持具によれば、挟持腕による電線のあふれ防止機能を備えつつ、ガイド板によって分岐部、コーナー部における電線の張力による挟持腕の開きを防止できる。また、収束領域への電線の挿入時には、ガイド板に影響されることなく挟持腕を両方向に開くことができるため、円滑なる電線の挿入操作を行うことができる。
【図面の簡単な説明】
【図１】本発明の第１実施形態の電線保持具を示す斜視図である。
【図２】保持ブロックと台座部との分解斜視図である。
【図３】（Ａ）（Ｂ）は電線保持具への電線の挿入状態を示す図である。
【図４】電線保持具に布線された電線の保持状態を示す図である。
【図５】（Ａ）は第２実施形態の電線保持具を示す一部切欠正面図、（Ｂ）は布線された電線の保持状態を示す断面図である。
【図６】従来の電線保持具の使用状態を示す図である。
【図７】従来のあふれ防止用電線保持具を示す図である。
【図８】従来のあふれ防止用電線保持具を示す図である。
【符号の説明】
１０、２０  電線保持具
１１、２１  保持ブロック
１１ａ  基部
１１ｂ、１１ｃ、２１ｂ、２１ｃ  挟持腕
１１ｄ、１１ｅ  シャッター部
１１ｆ  電線挿入口
１２、２２  台座部
１３  収束領域
１６、２６ａ、２６ｂ  ガイド板
【図１】
0003580149.tif 000002
【図２】
0003580149.tif 000003
【図３】
0003580149.tif 000004
【図４】
0003580149.tif 000005
【図５】
0003580149.tif 000006
【図６】
0003580149.tif 000007
【図７】
0003580149.tif 000008
【図８】
0003580149.tif 000009